(57)【要約】  マルチキャリアユーザ機器（ＵＥ）が、ＵＥ無線周波数リソースの割振りまたはプロビジョニングに応じてキャリアアグリゲーションにおいて選択された２次セルのアクティブ化および非アクティブ化のための入力を開始するかまたは与える、ＵＥのための２次キャリアの管理について説明する。
2015512184.tif 000002
【特許請求の範囲】
【請求項１】
ワイヤレス通信のための方法であって、前記方法は、
ユーザ機器（ＵＥ）において、前記ＵＥの複数の無線周波（ＲＦ）処理チェーンのうちの１つまたは複数を再プロビジョニングすると決定することと、
アクティブ化メッセージを生成すること、ここで、前記アクティブ化メッセージは、前記ＵＥのために構成された１つまたは複数の２次セルに関するアクティブ化要求情報を含む、と、
前記アクティブ化メッセージをサービング基地局に送信することと、
を備える、方法。
【請求項２】
前記アクティブ化要求情報は、
前記１つまたは複数の２次セルをアクティブ化するための要求と、
前記１つまたは複数の２次セルを非アクティブ化するための要求と、
のうちの１つを含む、請求項１に記載の方法。
【請求項３】
再プロビジョニングすると前記決定することは、
前記複数のＲＦ処理チェーンのうちの前記１つまたは複数を他のネットワークに割り振ると決定することと、
他のネットワーク上の呼を終了することと、
前記ＵＥに割り当てられた帯域幅を再割り振りすると決定することと、
前記サービング基地局を用いてキャリアアグリゲーション能力を更新すると決定することと
のうちの１つまたは複数に応答して行われる、請求項１に記載の方法。
【請求項４】
前記アクティブ化メッセージがメディアアクセス制御（ＭＡＣ）制御要素中に含まれる、請求項１に記載の方法。
【請求項５】
ワイヤレス通信のための方法であって、前記方法は、
基地局において、ユーザ機器（ＵＥ）からアクティブ化メッセージを受信すること、ここで、前記アクティブ化メッセージは、前記ＵＥのために構成された１つまたは複数の２次セルに関するアクティブ化要求情報を含む、と、
前記アクティブ化要求情報に応答して、前記１つまたは複数の２次セルの状態を変更することと
を備える、方法。
【請求項６】
前記アクティブ化要求情報は、
前記１つまたは複数の２次セルをアクティブ化するための要求と、
前記１つまたは複数の２次セルを非アクティブ化するための要求と、
のうちの１つを含む、請求項５に記載の方法。
【請求項７】
ワイヤレス通信のための方法であって、前記方法は、
ユーザ機器（ＵＥ）において、拡張されたキャリアアグリゲーション（ＣＡ）能力報告を生成すること、ここで、前記拡張されたＣＡ能力報告は、前記ＵＥのＣＡ能力と前記ＵＥのハードウェア制限とを含む、と、
前記拡張された能力報告をサービング基地局に送信することと、
を備える、方法。
【請求項８】
前記ハードウェア制限は、
前記ＵＥが異なるアクセス技術の中でサポートすることができるキャリアの総数と、
特定されたキャリアについての異なるアクセス技術の間で共有される複数の無線周波（ＲＦ）処理チェーンのうちの１つまたは複数への識別子と、
のうちの少なくとも１つを含む、請求項７に記載の方法。
【請求項９】
ワイヤレス通信のための方法であって、前記方法は、
第１のアクセスネットワークの基地局において、ユーザ機器（ＵＥ）から拡張されたキャリアアグリゲーション（ＣＡ）能力報告を受信すること、ここで、前記拡張されたＣＡ能力報告が前記ＵＥのＣＡ能力と前記ＵＥの１つまたは複数のハードウェア制限とを含む、と、
前記拡張されたＣＡ報告中で前記ＵＥによって報告された前記ＣＡ能力に少なくとも部分的に基づいて、前記ＵＥのための１つまたは複数の２次セルを構成することと、
前記基地局において、指示子を受信すること、ここで、前記指示子は、第２のアクセスネットワークと前記ＵＥとの間のサービス開始を示す、と、
前記第２のアクセスネットワークと前記ＵＥとの間のサービスの前記指示子に基づいて、前記１つまたは複数のハードウェア制限のトリガリングを検出することと、
検出されたトリガリングに応答して、前記１つまたは複数の２次セルを非アクティブ化することと、
を備える、方法。
【請求項１０】
前記指示子は、前記第１のアクセスネットワークから受信される、請求項９に記載の方法。
【請求項１１】
前記指示子は、前記第２のアクセスネットワークから受信される、請求項９に記載の方法。
【請求項１２】
前記基地局において、第２の指示子を受信すること、ここで、前記第２の指示子は、前記第２のアクセスネットワークと前記ＵＥとの間のサービス停止を示す、と、
前記第２の指示子に応答して、前記１つまたは複数の２次セルを再アクティブ化することと、
をさらに含む、請求項９に記載の方法。
【請求項１３】
前記指示子は、前記第１のアクセスネットワークから受信される、請求項１２に記載の方法。
【請求項１４】
前記指示子は、前記第２のアクセスネットワークから受信される、請求項１２に記載の方法。
【請求項１５】
ワイヤレス通信のための方法であって、前記方法は、
ユーザ機器（ＵＥ）において、前記ＵＥの複数の無線周波（ＲＦ）リソースのうちの１つまたは複数を再構成すると決定すること、ここで、１つまたは複数の２次セルは、前記複数のＲＦリソースのうちの前記１つまたは複数に関連付けられて、アクティブ化される、と、
基地局に１つまたは複数の被制御値測定値を送信すること、ここで、前記１つまたは複数の被制御値測定値は、前記ＵＥのために構成された前記１つまたは複数の２次セルを変更するように前記基地局をトリガする前記ＵＥによって選択された所定の値を含む、と、
を備える、方法。
【請求項１６】
前記１つまたは複数の被制御値測定値は、
フォールスチャネル品質インジケータ（ＣＱＩ）値と、
０に等しいＣＱＩ値と、
フォールスランクインジケータと、
１に等しいランクインジケータと、
のうちの１つを含む、請求項１５に記載の方法。
【請求項１７】
構成された前記１つまたは複数の２次セルの前記変更は、
前記１つまたは複数の２次セル上の送信を低減することと、
前記１つまたは複数の２次セルを非アクティブ化することと、
前記１つまたは複数の２次セルの多入力多出力（ＭＩＭＯ）能力を非アクティブ化することと、
のうちの１つまたは複数を含む、請求項１５に記載の方法。
【請求項１８】
ワイヤレス通信のための方法であって、前記方法は、
複数の無線周波（ＲＦ）リソースのうちの１つまたは複数を使用してユーザ機器（ＵＥ）と第１のアクセスネットワークとの間の通信を開始することと、
前記ＵＥにおいて、第２のアクセスネットワーク中のキャリアアグリゲーション（ＣＡ）に関連付けられた１つまたは複数の２次セルの測定値を検出すること、ここで、前記測定値は、前記第２のアクセスネットワークによる前記１つまたは複数の２次セルのアクティブ化をトリガすることになる、と、
前記第２のアクセスネットワークへの前記測定値の報告を非アクティブ化することと、
を備える、方法。
【請求項１９】
ユーザ機器によるコンポーネントキャリアの使用に関連付けられた少なくとも１つのパラメータを決定することと、
前記コンポーネントキャリアのアクティブ化ステータスに影響を及ぼすために前記少なくとも１つのパラメータを調整することと、
前記調整されたパラメータを基地局にシグナリングすることと、
を備える、ワイヤレス通信の方法。
【請求項２０】
前記少なくとも１つのパラメータは、前記コンポーネントキャリアに関連付けられたチャネル品質インジケータまたはランクインジケータを含む、請求項１９に記載の方法。
【請求項２１】
前記少なくとも１つのパラメータを調整することは、報告されたＣＱＩ値を測定されたＣＱＩ値から変化させることを含む、請求項２０に記載の方法。
【請求項２２】
一連のステップにおいて前記報告されたＣＱＩ値を変化させることをさらに含む、請求項２１に記載の方法。
【請求項２３】
前記少なくとも１つのパラメータを調整することは、報告されたＲＩ計測を実際のＲＩ値から変化させることを含む、請求項２０に記載の方法。
【請求項２４】
ユーザ機器（ＵＥ）において、前記ＵＥの複数の無線周波（ＲＦ）処理チェーンのうちの１つまたは複数を再プロビジョニングすると決定するための手段と、
アクティブ化メッセージを生成するための手段、ここで、前記アクティブ化メッセージが、前記ＵＥのために構成された１つまたは複数の２次セルに関するアクティブ化要求情報を含む、と、
前記アクティブ化メッセージをサービング基地局に送信するための手段と、
を備える、ワイヤレス通信のための装置。
【請求項２５】
前記アクティブ化要求情報は、
前記１つまたは複数の２次セルをアクティブ化するための要求と、
前記１つまたは複数の２次セルを非アクティブ化するための要求と、
のうちの１つを含む、請求項２４に記載の装置。
【請求項２６】
再プロビジョニングすると決定するための前記手段は、
前記複数のＲＦ処理チェーンのうちの前記１つまたは複数を他のネットワークに割り振ると決定するための手段と、
他のネットワーク上の呼を終了するための手段と、
前記ＵＥに割り当てられた帯域幅を再割り振りすると決定するための手段と、
前記サービング基地局を用いてキャリアアグリゲーション能力を更新すると決定するための手段と、
のうちの１つまたは複数に応答して行われる、請求項２４に記載の装置。
【請求項２７】
前記アクティブ化メッセージは、メディアアクセス制御（ＭＡＣ）制御要素中に含まれる、請求項２４に記載の装置。
【請求項２８】
基地局において、ユーザ機器（ＵＥ）からアクティブ化メッセージを受信するための手段、ここで、前記アクティブ化メッセージは、前記ＵＥのために構成された１つまたは複数の２次セルに関するアクティブ化要求情報を含む、と、
前記アクティブ化要求情報に応答して、前記１つまたは複数の２次セルの状態を変更するための手段と、
を備える、ワイヤレス通信のための装置。
【請求項２９】
前記アクティブ化要求情報は、
前記１つまたは複数の２次セルをアクティブ化するための要求と、
前記１つまたは複数の２次セルを非アクティブ化するための要求と、
のうちの１つを含む、請求項２８に記載の装置。
【請求項３０】
ユーザ機器（ＵＥ）において、拡張されたキャリアアグリゲーション（ＣＡ）能力報告を生成するための手段、前記拡張されたＣＡ能力報告は、前記ＵＥのＣＡ能力と前記ＵＥのハードウェア制限とを含む、と、
前記拡張された能力報告をサービング基地局に送信するための手段と、
を備える、ワイヤレス通信のための装置。
【請求項３１】
前記ハードウェア制限は、
前記ＵＥが異なるアクセス技術の中でサポートすることができるキャリアの総数と、
特定されたキャリアのための異なるアクセス技術の間で共有される複数の無線周波（ＲＦ）処理チェーンのうちの１つまたは複数の識別子と、
のうちの少なくとも１つを含む、請求項３０に記載の装置。
【請求項３２】
第１のアクセスネットワークの基地局において、ユーザ機器（ＵＥ）から拡張されたキャリアアグリゲーション（ＣＡ）能力報告を受信するための手段、ここで、前記拡張されたＣＡ能力報告が前記ＵＥのＣＡ能力と前記ＵＥの１つまたは複数のハードウェア制限とを含む、と、
前記拡張されたＣＡ報告中で前記ＵＥによって報告された前記ＣＡ能力に少なくとも部分的に基づいて、前記ＵＥのための１つまたは複数の２次セルを構成するための手段と、
前記基地局において、指示を受信するための手段、ここで、前記指示が第２のアクセスネットワークと前記ＵＥとの間のサービス開始を示す、と、
前記第２のアクセスネットワークと前記ＵＥとの間のサービスの前記指示子に基づいて、前記１つまたは複数のハードウェア制限のトリガリングを検出するための手段と、
検出されたトリガリングに応答して、前記１つまたは複数の２次セルを非アクティブ化するための手段と、
を備える、ワイヤレス通信のための装置。
【請求項３３】
前記指示子は、前記第１のアクセスネットワークから受信される、請求項３２に記載の装置。
【請求項３４】
前記指示子は、前記第２のアクセスネットワークから受信される、請求項３２に記載の装置。
【請求項３５】
前記基地局において、第２の指示子を受信するための手段、ここで、前記第２の指示子は、前記第２のアクセスネットワークと前記ＵＥとの間のサービス停止を示す、と、
前記第２の指示子に応答して、前記１つまたは複数の２次セルを再アクティブ化するための手段と、
をさらに含む、請求項３２に記載の装置。
【請求項３６】
前記指示子は、前記第１のアクセスネットワークから受信される、請求項３５に記載の装置。
【請求項３７】
前記指示子は、前記第２のアクセスネットワークから受信される、請求項３５に記載の装置。
【請求項３８】
ユーザ機器（ＵＥ）において、前記ＵＥの複数の無線周波（ＲＦ）リソースのうちの１つまたは複数を再構成すると決定するための手段、ここで、1つまたは複数の２次セルは、前記複数のＲＦリソースのうちの前記１つまたは複数に関連付けられて、アクティブ化される、と、
基地局に１つまたは複数の被制御値測定値を送信するための手段、ここで、前記１つまたは複数の被制御値測定値が、前記ＵＥのために構成された前記１つまたは複数の２次セルを変更するように前記基地局をトリガする前記ＵＥによって選択された所定の値を含む、と
を備える、ワイヤレス通信のための装置。
【請求項３９】
前記１つまたは複数の被制御値測定値は、
フォールスチャネル品質インジケータ（ＣＱＩ）値と、
０に等しいＣＱＩ値と、
フォールスランクインジケータと、
１に等しいランクインジケータと、
のうちの１つを含む、請求項３８に記載の装置。
【請求項４０】
構成された前記１つまたは複数の２次セルの前記変更は、
前記１つまたは複数の２次セル上の送信を低減するための手段と、
前記１つまたは複数の２次セルを非アクティブ化するための手段と、
前記１つまたは複数の２次セルの多入力多出力（ＭＩＭＯ）能力を非アクティブ化するための手段と、
のうちの１つまたは複数を含む、請求項３８に記載の装置。
【請求項４１】
複数の無線周波（ＲＦ）リソースのうちの１つまたは複数を使用してユーザ機器（ＵＥ）と第１のアクセスネットワークとの間の通信を開始するための手段と、
前記ＵＥにおいて、第２のアクセスネットワーク中のキャリアアグリゲーション（ＣＡ）に関連付けられた１つまたは複数の２次セルの測定値を検出するための手段であって、前記測定値が、前記第２のアクセスネットワークによる前記１つまたは複数の２次セルのアクティブ化をトリガすることになる、と、
前記第２のアクセスネットワークへの前記測定値の報告を非アクティブ化するための手段と、
を備える、ワイヤレス通信のための装置。
【請求項４２】
ユーザ機器によるコンポーネントキャリアの使用に関連付けられた少なくとも１つのパラメータを決定するための手段と、
前記コンポーネントキャリアのアクティブ化ステータスに影響を及ぼすために前記少なくとも１つのパラメータを調整するための手段と、
前記調整されたパラメータを基地局にシグナリングするための手段と、
を備える、ワイヤレス通信の装置。
【請求項４３】
前記少なくとも１つのパラメータは、前記コンポーネントキャリアに関連付けられたチャネル品質インジケータまたはランクインジケータを含む、請求項４２に記載の装置。
【請求項４４】
前記少なくとも１つのパラメータを調整するための手段は、
報告されたＣＱＩ値を測定されたＣＱＩ値から変化させるための手段を含む、請求項４３に記載の装置。
【請求項４５】
一連のステップにおいて前記報告されたＣＱＩ値を変化させることをさらに含む、請求項４４に記載の装置。
【請求項４６】
前記少なくとも１つのパラメータを調整することは、報告されたＲＩ計測を実際のＲＩ値から変化させることを含む、請求項４３に記載の装置。
【請求項４７】
ワイヤレスネットワークにおけるワイヤレス通信のためのコンピュータプログラム製品であって、
プログラムコードを記録した非一時的コンピュータ可読媒体を備え、前記プログラムコードは、
ユーザ機器（ＵＥ）において、前記ＵＥの複数の無線周波（ＲＦ）処理チェーンのうちの１つまたは複数を再プロビジョニングすると決定することと、
アクティブ化メッセージを生成すること、ここで、前記アクティブ化メッセージは、前記ＵＥのために構成された１つまたは複数の２次セルに関するアクティブ化要求情報を含む、と、
前記アクティブ化メッセージをサービング基地局に送信することと、
をコンピュータに行わせるプログラムコードを備える、
コンピュータプログラム製品。
【請求項４８】
ワイヤレスネットワークにおけるワイヤレス通信のためのコンピュータプログラム製品であって、
プログラムコードを記録した非一時的コンピュータ可読媒体を備え、前記プログラムコードは、
基地局において、ユーザ機器（ＵＥ）からアクティブ化メッセージを受信すること、ここで、前記アクティブ化メッセージが、前記ＵＥのために構成された１つまたは複数の２次セルに関するアクティブ化要求情報を含む、と、
前記アクティブ化要求情報に応答して、前記１つまたは複数の２次セルの状態を変更することと、
をコンピュータに行わせるプログラムコードを備える、
コンピュータプログラム製品。
【請求項４９】
ワイヤレスネットワークにおけるワイヤレス通信のためのコンピュータプログラム製品であって、
プログラムコードを記録した非一時的コンピュータ可読媒体を備え、前記プログラムコードは、
ユーザ機器（ＵＥ）において、拡張されたキャリアアグリゲーション（ＣＡ）能力報告を生成すること、ここで、前記拡張されたＣＡ能力報告は、前記ＵＥのＣＡ能力と前記ＵＥのハードウェア制限とを含む、と、
前記拡張された能力報告をサービング基地局に送信することと、
をコンピュータに行わせるプログラムコードを備える、
コンピュータプログラム製品。
【請求項５０】
ワイヤレスネットワークにおけるワイヤレス通信のためのコンピュータプログラム製品であって、
プログラムコードを記録した非一時的コンピュータ可読媒体を備え、前記プログラムコードは、
第１のアクセスネットワークの基地局において、ユーザ機器（ＵＥ）から拡張されたキャリアアグリゲーション（ＣＡ）能力報告を受信すること、ここで、前記拡張されたＣＡ能力報告が前記ＵＥのＣＡ能力と前記ＵＥの１つまたは複数のハードウェア制限とを含む、と、
前記拡張されたＣＡ報告中で前記ＵＥによって報告された前記ＣＡ能力に少なくとも部分的に基づいて、前記ＵＥのために１つまたは複数の２次セルを構成することと、
前記基地局において、指示子を受信すること、前記指示子は、第２のアクセスネットワークと前記ＵＥとの間のサービス開始を示す、と、
前記第２のアクセスネットワークと前記ＵＥとの間のサービスの前記指示子に基づいて、前記１つまたは複数のハードウェア制限のトリガリングを検出することと、
検出されたトリガリングに応答して、前記１つまたは複数の２次セルを非アクティブ化することと、
をコンピュータに行わせるプログラムコードを備える、
コンピュータプログラム製品。
【請求項５１】
ワイヤレスネットワークにおけるワイヤレス通信のためのコンピュータプログラム製品であって、
プログラムコードを記録した非一時的コンピュータ可読媒体を備え、前記プログラムコードは、
ユーザ機器（ＵＥ）において、前記ＵＥの複数の無線周波（ＲＦ）リソースのうちの１つまたは複数を再構成すると決定すること、ここで、１つまたは複数の２次セルは、前記複数のＲＦリソースのうちの前記１つまたは複数に関連付けられて、アクティブ化される、と、
基地局に１つまたは複数の被制御値測定値を送信すること、前記１つまたは複数の被制御値測定値が、前記ＵＥのために構成された前記１つまたは複数の２次セルを変更するように前記基地局をトリガする前記ＵＥによって選択された所定の値を含む、と、
をコンピュータに行わせるプログラムコードを備える、
コンピュータプログラム製品。
【請求項５２】
ワイヤレスネットワークにおけるワイヤレス通信のためのコンピュータプログラム製品であって、
プログラムコードを記録した非一時的コンピュータ可読媒体を備え、前記プログラムコードは、
複数の無線周波（ＲＦ）リソースのうちの１つまたは複数を使用してユーザ機器（ＵＥ）と第１のアクセスネットワークとの間の通信を開始することと、
前記ＵＥにおいて、第２のアクセスネットワーク中のキャリアアグリゲーション（ＣＡ）に関連付けられた１つまたは複数の２次セルの測定値を検出すること、ここで、前記測定値が、前記第２のアクセスネットワークによる前記１つまたは複数の２次セルのアクティブ化をトリガすることになる、と、
前記第２のアクセスネットワークへの前記測定値の報告を非アクティブ化することと、
をコンピュータに行わせるプログラムコードを備える、
コンピュータプログラム製品。
【請求項５３】
ワイヤレスネットワークにおけるワイヤレス通信のためのコンピュータプログラム製品であって、
プログラムコードを記録した非一時的コンピュータ可読媒体を備え、前記プログラムコードが、
ユーザ機器によるコンポーネントキャリアの使用に関連付けられた少なくとも１つのパラメータを決定することと、
前記コンポーネントキャリアのアクティブ化ステータスに影響を及ぼすために前記少なくとも１つのパラメータを調整することと、
前記調整されたパラメータを基地局にシグナリングすることと、
をコンピュータに行わせるプログラムコードを備える、
コンピュータプログラム製品。
【請求項５４】
ワイヤレス通信のために構成された装置であって、前記装置が、
少なくとも１つのプロセッサと、
前記少なくとも１つのプロセッサに結合されたメモリと、
を備え、
前記少なくとも１つのプロセッサは、
ユーザ機器（ＵＥ）において、前記ＵＥの複数の無線周波（ＲＦ）処理チェーンのうちの１つまたは複数を再プロビジョニングすると決定することと、
アクティブ化メッセージを生成すること、ここで、前記アクティブ化メッセージは、前記ＵＥのために構成された１つまたは複数の２次セルに関するアクティブ化要求情報を含む、と、
前記アクティブ化メッセージをサービング基地局に送信することと、
を行うように構成された、
装置。
【請求項５５】
ワイヤレス通信のために構成された装置であって、前記装置は、
少なくとも１つのプロセッサと、
前記少なくとも１つのプロセッサに結合されたメモリと、
を備え、
前記少なくとも１つのプロセッサは、
基地局において、ユーザ機器（ＵＥ）からアクティブ化メッセージを受信すること、ここで、前記アクティブ化メッセージは、前記ＵＥのために構成された１つまたは複数の２次セルに関するアクティブ化要求情報を含む、と、
前記アクティブ化要求情報に応答して、前記１つまたは複数の２次セルの状態を変更することと、
を行うように構成された、
装置。
【請求項５６】
ワイヤレス通信のために構成された装置であって、前記装置は、
少なくとも１つのプロセッサと、
前記少なくとも１つのプロセッサに結合されたメモリと、
を備え、
前記少なくとも１つのプロセッサは、
ユーザ機器（ＵＥ）において、拡張されたキャリアアグリゲーション（ＣＡ）能力報告を生成することであって、前記拡張されたＣＡ能力報告が前記ＵＥのＣＡ能力と前記ＵＥのハードウェア制限とを含む、と、
前記拡張された能力報告をサービング基地局に送信することと、
を行うように構成された、
装置。
【請求項５７】
ワイヤレス通信のために構成された装置であって、前記装置が、
少なくとも１つのプロセッサと、
前記少なくとも１つのプロセッサに結合されたメモリと、
を備え、
前記少なくとも１つのプロセッサは、
第１のアクセスネットワークの基地局において、ユーザ機器（ＵＥ）から拡張されたキャリアアグリゲーション（ＣＡ）能力報告を受信すること、ここで、前記拡張されたＣＡ能力報告は、前記ＵＥのＣＡ能力と前記ＵＥの１つまたは複数のハードウェア制限とを含む、と、
前記拡張されたＣＡ報告中で前記ＵＥによって報告された前記ＣＡ能力に少なくとも部分的に基づいて、前記ＵＥのための１つまたは複数の２次セルを構成することと、
前記基地局において、指示子を受信することであって、ここで、前記指示子は、第２のアクセスネットワークと前記ＵＥとの間のサービス開始を示す、と、
前記第２のアクセスネットワークと前記ＵＥとの間のサービスの前記指示子に基づいて、前記１つまたは複数のハードウェア制限のトリガリングを検出することと、
検出されたトリガリングに応答して、前記１つまたは複数の２次セルを非アクティブ化することと、
を行うように構成された、
装置。
【請求項５８】
ワイヤレス通信のために構成された装置であって、前記装置は、
少なくとも１つのプロセッサと、
前記少なくとも１つのプロセッサに結合されたメモリと、
を備え、
前記少なくとも１つのプロセッサは、
ユーザ機器（ＵＥ）において、前記ＵＥの複数の無線周波（ＲＦ）リソースのうちの１つまたは複数を再構成すると決定すること、ここで、１つまたは複数の２次セルは、前記複数のＲＦリソースのうちの前記１つまたは複数に関連付けられて、アクティブ化される、と、
基地局に１つまたは複数の被制御値測定値を送信すること、ここで、前記１つまたは複数の被制御値測定値は、前記ＵＥのために構成された前記１つまたは複数の２次セルを変更するように前記基地局をトリガする前記ＵＥによって選択された所定の値を含む、と、
を行うように構成された、
装置。
【請求項５９】
ワイヤレス通信のために構成された装置であって、前記装置は、
少なくとも１つのプロセッサと、
前記少なくとも１つのプロセッサに結合されたメモリと、
を備え、
前記少なくとも１つのプロセッサは、
複数の無線周波（ＲＦ）リソースのうちの１つまたは複数を使用してユーザ機器（ＵＥ）と第１のアクセスネットワークとの間の通信を開始することと、
前記ＵＥにおいて、第２のアクセスネットワーク中のキャリアアグリゲーション（ＣＡ）に関連付けられた１つまたは複数の２次セルの測定値を検出すること、ここで、前記測定値は、前記第２のアクセスネットワークによる前記１つまたは複数の２次セルのアクティブ化をトリガすることになる、と、
前記第２のアクセスネットワークへの前記測定値の報告を非アクティブ化することと、
を行うように構成された、
装置。
【請求項６０】
ワイヤレス通信のために構成された装置であって、前記装置は、
少なくとも１つのプロセッサと、
前記少なくとも１つのプロセッサに結合されたメモリと、
を備え、
前記少なくとも１つのプロセッサは、
ユーザ機器によるコンポーネントキャリアの使用に関連付けられた少なくとも１つのパラメータを決定することと、
前記コンポーネントキャリアのアクティブ化ステータスに影響を及ぼすために前記少なくとも１つのパラメータを調整することと、
前記調整されたパラメータを基地局にシグナリングすることと、
を行うように構成された、
装置。
【発明の詳細な説明】
【関連出願の相互参照】
【０００１】
本出願は、その全体が参照により本明細書に明確に組み込まれる、２０１２年１月２６日に出願された「UE-INITIATED DYNAMIC ACTIVATION AND DE-ACTIVATION OF SECONDARY CARRIERS」と題する米国仮特許出願第６１／５９１，２３７号の利益を主張する。
【技術分野】
【０００２】
本開示の態様は、一般にワイヤレス通信システムに関し、より具体的には、２次キャリアのユーザ機器（ＵＥ：user equipment）主導型動的アクティブ化および非アクティブ化に関する。
【背景技術】
【０００３】
ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）のための通信をサポートすることができるいくつかのｅノードＢを含み得る。ＵＥは、ダウンリンクおよびアップリンクを介してｅノードＢと通信し得る。ダウンリンク（または順方向リンク）はｅノードＢからＵＥへの通信リンクを指し、アップリンク（または逆方向リンク）はＵＥからｅノードＢへの通信リンクを指す。
【発明の概要】
【０００５】
本開示の態様は、ＵＥにおいて、ＵＥの複数の無線周波（ＲＦ）処理チェーンのうちの１つまたは複数を再プロビジョニングすると決定することと、アクティブ化メッセージを生成すること、ここで、アクティブ化メッセージは、ＵＥのために構成された１つまたは複数の２次セルに関するアクティブ化要求情報を含む、と、アクティブ化メッセージをサービング基地局に送信することとを含むワイヤレス通信のための方法を対象とする。
【０００６】
本開示の追加の態様は、基地局において、ＵＥからアクティブ化メッセージを受信すること、ここで、アクティブ化メッセージは、ＵＥのために構成された１つまたは複数の２次セルに関するアクティブ化要求情報を含む、と、アクティブ化要求情報に応答して、１つまたは複数の２次セルの状態を変更することと、を含むワイヤレス通信のための方法を対象とする。
【０００７】
本開示の追加の態様は、ＵＥにおいて、拡張されたＣＡ能力報告を生成すること、ここで、拡張されたＣＡ能力報告は、ＵＥのＣＡ能力とＵＥのハードウェア制限とを含む、と、拡張された能力報告をサービング基地局に送信することと、を含むワイヤレス通信のための方法を対象とする。
【０００８】
本開示の追加の態様は、第１のアクセスネットワークの基地局において、ＵＥから拡張されたＣＡ能力報告を受信すること、ここで、拡張されたＣＡ能力報告がＵＥのＣＡ能力とＵＥの１つまたは複数のハードウェア制限とを含む、と、拡張されたＣＡ報告中でＵＥによって報告されたＣＡ能力に少なくとも部分的に基づいて、ＵＥのために１つまたは複数の２次セルを構成することと、基地局において、第２のアクセスネットワークから指示子を受信すること、ここで、指示子は、第２のアクセスネットワークとＵＥとの間のサービス開始を示す、と、第２のアクセスネットワークとＵＥとの間のサービスの指示子に基づいて１つまたは複数のハードウェア制限のトリガリングを検出することと、検出されたトリガリングに応答して、１つまたは複数の２次セルを非アクティブ化することと、を含むワイヤレス通信のための方法を対象とする。
【０００９】
本開示の追加の態様は、ＵＥにおいて、ＵＥの複数のＲＦリソースのうちの１つまたは複数を再構成すると決定すること、ここで、１つまたは複数の２次セルは、複数のＲＦリソースのうちの１つまたは複数に関連付けら、アクティブ化される、と、基地局に１つまたは複数の被制御値測定値を送信すること、ここで、１つまたは複数の被制御値測定値は、ＵＥのために構成された１つまたは複数の２次セルを変更するように基地局をトリガするＵＥによって選択された所定の値を含む、と、を含むワイヤレス通信のための方法を対象とする。
【００１０】
本開示の追加の態様は、複数のＲＦリソースのうちの１つまたは複数を使用してＵＥと第１のアクセスネットワークとの間の通信を開始することと、ＵＥにおいて、第２のアクセスネットワーク中のＣＡに関連する１つまたは複数の２次セルの測定値を検出すること、測定値は、第２のアクセスネットワークによる１つまたは複数の２次セルのアクティブ化をトリガすることになる、と、第２のアクセスネットワークへの測定値の報告を非アクティブ化することと、を含むワイヤレス通信のための方法を対象とする。
【００１１】
本開示の様々な態様および特徴について以下でさらに詳細に説明する。
【図面の簡単な説明】
【００１２】
【図１】通信システムの一例を概念的に示すブロック図。
【図２】通信システムにおけるダウンリンクフレーム構造の一例を概念的に示すブロック図。
【図３】本開示の一態様に従って構成されたｅノードＢおよびＵＥの設計を概念的に示すブロック図。
【図４Ａ】連続キャリアアグリゲーションタイプを開示する図。
【図４Ｂ】非連続キャリアアグリゲーションタイプを開示する図。
【図５】ＭＡＣレイヤデータアグリゲーションを開示する図。
【図６】複数キャリア構成において無線リンクを制御するための方法を示すブロック図。
【図７】本開示の一態様に従って構成されたＵＥを示すコールフロー図。
【図８Ａ】本開示の様々な態様を実装するために実行される例示的なブロックを示す機能ブロック図。
【図８Ｂ】本開示の様々な態様を実装するために実行される例示的なブロックを示す機能ブロック図。
【図９】それぞれ本開示の一態様に従って構成された、ＵＥと、ＬＴＥネットワークと、１Ｘネットワーク９１との間の例示的なコールフローを示すコールフロー図。
【図１０】本開示の様々な態様を実装するために実行される例示的なブロックを示す機能ブロック図。
【図１１】本開示の様々な態様を実装するために実行される例示的なブロックを示す機能ブロック図。
【図１２】本開示の様々な態様を実装するために実行される例示的なブロックを示す機能ブロック図。
【図１３】本開示の様々な態様を実装するために実行される例示的なブロックを示す機能ブロック図。
【詳細な説明】
【００１３】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかである。いくつかの例では、そのような概念を不明瞭にしないように、よく知られている構造および構成要素をブロック図の形式で示す。
【００１４】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００１５】
図１に、ＬＴＥネットワークであり得るワイヤレス通信ネットワーク１００を示す。ワイヤレスネットワーク１００は、いくつかの発展型ノードＢ（ｅノードＢ）１１０と他のネットワークエンティティとを含み得る。ｅノードＢは、ＵＥと通信する局であり得、基地局、アクセスポイントなどと呼ばれることもある。ノードＢは、ＵＥと通信する局の他の例である。
【００１６】
各ｅノードＢ１１０は、特定の地理的エリアに通信カバレージを与え得る。３ＧＰＰでは、「セル」という用語は、この用語が使用されるコンテキストに応じて、ｅノードＢのカバレージエリアおよび／またはこのカバレージエリアをサービスしているｅノードＢサブシステムを指すことがある。
【００１７】
ｅノードＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による制限付きアクセスを可能にし得る。マクロセルのためのｅノードＢはマクロｅノードＢと呼ばれることがある。ピコセルのためのｅノードＢはピコｅノードＢと呼ばれることがある。フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢは、１つまたは複数の（たとえば、３つの）セルをサポートし得る。
【００１８】
ワイヤレスネットワーク１００はまた、中継局を含み得る。中継局は、上流局（たとえば、ｅノードＢまたはＵＥ）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、リレーｅノードＢ、リレーなどと呼ばれることもある。
【００１９】
ワイヤレスネットワーク１００は、様々なタイプのｅノードＢ、たとえば、マクロｅノードＢ、ピコｅノードＢ、フェムトｅノードＢ、リレーなどを含む異種ネットワークであり得る。これらの様々なタイプのｅノードＢは、様々な送信電力レベルと、様々なカバレージエリアと、ワイヤレスネットワーク１００中の干渉に対する様々な影響とを有し得る。たとえば、マクロｅノードＢは、高い送信電力レベル（たとえば、２０ワット）を有し得るが、ピコｅノードＢ、フェムトｅノードＢ、およびリレーは、より低い送信電力レベル（たとえば、１ワット）を有し得る。
【００２０】
ワイヤレスネットワーク１００は同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明する技法は、同期動作と非同期動作の両方のために使用され得る。
【００２１】
ネットワークコントローラ１３０は、ｅノードＢのセットに結合し、これらのｅノードＢの協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００２２】
ＵＥ１２０は、ワイヤレスネットワーク１００全体にわたって分散され得、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。ＵＥは、マクロｅノードＢ、ピコｅノードＢ、フェムトｅノードＢ、リレーなどと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉する送信を示す。
【００２３】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００２４】
図２に、ＬＴＥにおいて使用されるダウンリンクフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張されたサイクリックプレフィックスの場合は１４個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中にＮ個のサブキャリア（たとえば、１２個のサブキャリア）をカバーし得る。
【００２５】
ＬＴＥでは、ｅノードＢは、ｅノードＢ中の各セルについて１次同期信号（ＰＳＳ：primary synchronization signal）と２次同期信号（ＳＳＳ：secondary synchronization signal）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅノードＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２６】
ｅノードＢは、図２の第１のシンボル期間全体において示されているが、各サブフレームの第１のシンボル期間の一部のみの中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個（図２ではＭ＝３）のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２の第１のシンボル期間の中には示されていないが、ＰＤＣＣＨおよびＰＨＩＣＨは第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００２７】
ｅノードＢは、ｅノードＢによって使用されるシステム帯域幅の中心１．０８ＭＨｚにおいてＰＳＳ、ＳＳＳおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００２８】
各シンボル期間においていくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して許され得る。
【００２９】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して許される組合せの数よりも少ない。ｅノードＢは、ＵＥが探索することになる組合せのいずれかにおいてＵＥにＰＤＣＣＨを送り得る。
【００３０】
ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００３１】
図３に、図１のｅノードＢのうちの１つおよびＵＥのうちの１つであり得る、ｅノードＢ１１０およびＵＥ１２０の設計のブロック図を示す。制限付き関連付けシナリオの場合、ｅノードＢ１１０は図１のマクロｅノードＢ１１０ｃであり得、ＵＥ１２０はＵＥ１２０ｙであり得る。ｅノードＢ１１０はアンテナ６３４ａ〜６３４ｔを装備し得、ＵＥ１２０はアンテナ６５２ａ〜６５２ｒを装備し得る。
【００３２】
ｅノードＢ１１０において、送信プロセッサ６２０は、データソース６１２からデータを受信し、コントローラ／プロセッサ６４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ６２０は、データと制御情報とを処理（たとえば、符号化およびシンボルマッピング）して、それぞれデータシンボルと制御シンボルとを取得し得る。プロセッサ６２０はまた、たとえば、ＰＳＳ、ＳＳＳ、およびセル固有基準信号のための基準シンボルを生成し得る。送信（ＴＸ）多入力多出力（ＭＩＭＯ）プロセッサ６３０は、適用可能な場合、データシンボル、制御シンボル、および／または基準シンボルに対して空間処理（たとえば、プリコーディング）を実行し得、出力シンボルストリームを変調器（ＭＯＤ）６３２ａ〜６３２ｔに与え得る。各変調器６３２は、（たとえば、ＯＦＤＭなどのために）それぞれの出力シンボルストリームを処理して、出力サンプルストリームを取得し得る。各変調器６３２はさらに、出力サンプルストリームを処理（たとえば、アナログへの変換、増幅、フィルタ処理、およびアップコンバート）して、ダウンリンク信号を取得し得る。変調器６３２ａ〜６３２ｔからのダウンリンク信号は、それぞれアンテナ６３４ａ〜６３４ｔを介して送信され得る。
【００３３】
ＵＥ１２０において、アンテナ６５２ａ〜６５２ｒは、ｅノードＢ１１０からダウンリンク信号を受信し得、受信信号をそれぞれ復調器（ＤＥＭＯＤ）６５４ａ〜６５４ｒに与え得る。各復調器６５４は、それぞれの受信信号を調整（たとえば、フィルタ処理、増幅、ダウンコンバート、およびデジタル化）して、入力サンプルを取得し得る。各復調器６５４は、（たとえば、ＯＦＤＭなどのために）入力サンプルをさらに処理して、受信シンボルを取得し得る。ＭＩＭＯ検出器６５６は、すべての復調器６５４ａ〜６５４ｒから受信シンボルを取得し、適用可能な場合は受信シンボルに対してＭＩＭＯ検出を実行し、検出シンボルを与え得る。受信プロセッサ６５８は、検出シンボルを処理（たとえば、復調、デインターリーブ、および復号）し、ＵＥ１２０の復号されたデータをデータシンク６６０に与え、復号された制御情報をコントローラ／プロセッサ６８０に与え得る。
【００３４】
アップリンク上では、ＵＥ１２０において、送信プロセッサ６６４は、データソース６６２から（たとえば、ＰＵＳＣＨのための）データを受信し、処理し得、コントローラ／プロセッサ６８０から（たとえば、ＰＵＣＣＨのための）制御情報を受信し、処理し得る。送信プロセッサ６６４はまた、基準信号のための基準シンボルを生成し得る。送信プロセッサ６６４からのシンボルは、適用可能な場合はＴＸ  ＭＩＭＯプロセッサ６６６によってプリコードされ、さらに（たとえば、ＳＣ−ＦＤＭなどのために）復調器６５４ａ〜６５４ｒによって処理され、ｅノードＢ１１０に送信され得る。ｅノードＢ１１０において、ＵＥ１２０からのアップリンク信号は、アンテナ６３４によって受信され、変調器６３２によって処理され、適用可能な場合はＭＩＭＯ検出器６３６によって検出され、さらに受信プロセッサ６３８によって処理されて、ＵＥ１２０によって送られた復号されたデータおよび制御情報が取得され得る。受信プロセッサ６３８は、復号されたデータをデータシンク６３９に与え、復号された制御情報をコントローラ／プロセッサ６４０に与え得る。
【００３５】
コントローラ／プロセッサ６４０および６８０は、それぞれｅノードＢ１１０における動作およびＵＥ１２０における動作を指示し得る。ｅノードＢ１１０におけるプロセッサ６４０および／または他のプロセッサおよびモジュールは、本明細書で説明する技法のための様々なプロセスを実行するかまたはその実行を指示し得る。メモリ６４２および６８２は、それぞれｅノードＢ１１０およびＵＥ１２０のためのデータおよびプログラムコードを記憶し得る。スケジューラ６４４は、ダウンリンク上および／またはアップリンク上でのデータ送信のためにＵＥをスケジュールし得る。
【００３６】
キャリアアグリゲーション
ＬＴＥアドバンストＵＥは、各方向において送信のために使用される最高合計１００ＭＨｚ（５つのコンポーネントキャリア）のキャリアアグリゲーションにおいて割り振られた、最高２０ＭＨｚ帯域幅のスペクトルを使用する。概して、アップリンク上ではダウンリンクよりも少ないトラフィックが送信され、したがって、アップリンクスペクトル割振りはダウンリンク割振りよりも小さくなり得る。たとえば、アップリンクに２０ＭＨｚが割り当てられた場合、ダウンリンクには１００ＭＨｚが割り当てられ得る。これらの非対称ＦＤＤ割当ては、スペクトルを節約し、ブロードバンド加入者による一般に非対称な帯域利用にぴったり合う。
【００３７】
キャリアアグリゲーションタイプ
ＬＴＥアドバンストモバイルシステムのために、２つのタイプのキャリアアグリゲーション（ＣＡ：carrier aggregation）方法、すなわち、連続ＣＡおよび非連続ＣＡが提案されている。それらを図４Ａおよび図４Ｂに示す。非連続ＣＡは、複数の利用可能なコンポーネントキャリアが周波数帯域に沿って分離されたときに生じる（図４Ｂ）。一方、連続ＣＡは、複数の利用可能なコンポーネントキャリアが互いに隣接するときに生じる（図４Ａ）。非連続ＣＡと連続ＣＡの両方は、ＬＴＥアドバンストＵＥの単一ユニットを処理するために複数のＬＴＥ／コンポーネントキャリアをアグリゲートする。
【００３８】
ＬＴＥアドバンストＵＥにおける非連続ＣＡでは、周波数帯域に沿ってキャリアが分離されるので、複数のＲＦ受信ユニットと複数のＦＦＴとが展開され得る。非連続ＣＡは、大きい周波数範囲にわたる複数の分離されたキャリア上でのデータ送信をサポートするので、周波数帯域が異なると、伝搬経路損失、ドップラーシフトおよび他の無線チャネル特性が大いに変わり得る。
【００３９】
したがって、非連続ＣＡ手法の下でブロードバンドデータ送信をサポートするために、異なるコンポーネントキャリアのためのコーディング、変調、および送信電力を適応的に調整するための方法が使用され得る。たとえば、拡張されたノードＢ（ｅノードＢ）が各コンポーネントキャリア上の送信電力を固定しているＬＴＥアドバンストシステムでは、各コンポーネントキャリアの有効カバレージまたはサポート可能な変調およびコーディングが異なり得る。
【００４０】
データアグリゲーション方式
図５に、ＩＭＴアドバンストシステムのためにメディアアクセス制御（ＭＡＣ）レイヤ（図５）において異なるコンポーネントキャリアからの送信ブロック（ＴＢ：transmission block）をアグリゲートすることを示す。ＭＡＣレイヤデータアグリゲーションでは、各コンポーネントキャリアは、ＭＡＣレイヤ中にそれ自体の独立したハイブリッド自動再送要求（ＨＡＲＱ）エンティティを有し、物理レイヤ中にそれ自体の送信構成パラメータ（たとえば、送信電力、変調およびコーディング方式、ならびに複数のアンテナ構成）を有する。同様に、物理レイヤでは、コンポーネントキャリアごとに１つのＨＡＲＱエンティティが与えられる。
【００４１】
制御シグナリング
概して、複数のコンポーネントキャリアのための制御チャネルシグナリングを展開するための３つの異なる手法がある。第１は、ＬＴＥシステムにおける制御構造の軽微な変更を伴い、各コンポーネントキャリアは、それ自体のコード化制御チャネルを与えられる。
【００４２】
第２の方法は、異なるコンポーネントキャリアの制御チャネルをジョイントコーディングし、専用のコンポーネントキャリア中に制御チャネルを展開することを伴う。複数のコンポーネントキャリアのための制御情報は、この専用制御チャネルでは、シグナリングコンテンツとして統合されることになる。その結果、ＬＴＥシステムにおける制御チャネル構造との後方互換性が維持されながら、ＣＡのシグナリングオーバーヘッドが低減する。
【００４３】
異なるコンポーネントキャリアのための複数の制御チャネルは、ジョイントコーディングされ、次いで、第３のＣＡ方法によって形成された周波数帯域全体にわたって送信される。この手法は、制御チャネルにおいて低いシグナリングオーバーヘッドと高い復号性能とを提供するが、ＵＥ側の電力消費量が高くなる。ただし、この方法は、ＬＴＥシステムと互換性がない。
【００４４】
ハンドオーバ制御
ＩＭＴアドバンストＵＥのためにＣＡが使用されるとき、複数のセルにわたるハンドオーバプロシージャ中に送信連続性をサポートすることが好ましい。しかしながら、特定のＣＡ構成およびサービス品質（ＱｏＳ）要件とともに、入来ＵＥのために十分なシステムリソース（すなわち、良好な送信品質をもつコンポーネントキャリア）を確保することが、次のｅノードＢにとって難しいことがある。この理由は、２つ（またはそれ以上）の隣接するセル（ｅノードＢ）のチャネル状態が、特定のＵＥについて異なり得るからである。１つの手法では、ＵＥは、各隣接セルにおいてただ１つのコンポーネントキャリアのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ決定および送信構成が決定され得る。
【００４５】
様々な実施形態によれば、（キャリアアグリゲーションとも呼ばれる）マルチキャリアシステムにおいて動作するＵＥは、「１次キャリア」と呼ばれることがある同じキャリア上で、制御機能およびフィードバック機能など、複数のキャリアのいくつかの機能をアグリゲートするように構成される。サポートのために１次キャリアに依存する残りのキャリアは、関連する２次キャリアと呼ばれる。たとえば、ＵＥは、随意の専用チャネル（ＤＣＨ）、スケジュールされない許可、物理アップリンク制御チャネル（ＰＵＣＣＨ）、および／または物理ダウンリンク制御チャネル（ＰＤＣＣＨ）によって提供される制御機能などの制御機能をアグリゲートし得る。シグナリングおよびペイロードは、ダウンリンク上でｅノードＢによってＵＥに、ならびにアップリンク上でＵＥによってｅノードＢに送信され得る。
【００４６】
いくつかの実施形態では、複数の１次キャリアが存在し得る。さらに、ＬＴＥ  ＲＲＣプロトコルの３ＧＰＰ技術仕様３６．３３１におけるものなど、レイヤ２プロシージャである物理チャネル確立およびＲＬＦプロシージャを含む、ＵＥの基本動作に影響を及ぼすことなしに、２次キャリアが追加または削除され得る。
【００４７】
図６に、一例による、物理チャネルをグループ化することによって複数キャリアワイヤレス通信システムにおいて無線リンクを制御するための方法６００を示す。図示のように、本方法は、ブロック６０５において、１次キャリアと、１つまたは複数の関連する２次キャリアとを形成するために、少なくとも２つのキャリアからの制御機能を１つのキャリア上にアグリゲートすることを含む。次にブロック６１０において、１次キャリアと各２次キャリアとのための通信リンクを確立する。次いで、ブロック６１５において、１次キャリアに基づいて通信を制御する。
【００４８】
ＣＡを使用する将来のアドバンストワイヤレスネットワークは、同時音声およびＬＴＥ（ＳＶＬＴＥ：simultaneous voice and LTE）をサポートすることが企図される。この要件は、（１）ＵＥが、ＬＴＥ無線リソース制御（ＲＲＣ）接続モードにある間、１Ｘページを受信することをサポートすることと、（２）ＵＥが、ＬＴＥ  ＲＲＣ接続モードにある間、１Ｘ上でモバイル主導型およびモバイル終端型ボイス呼をサポートすることとを暗示する。ハードウェア制限により、（ＭＩＭＯ動作が両方のキャリア上で必要とされると仮定すると）２つのキャリアを有することは、ＵＥが１Ｘ上にある間は対応可能でない。ＵＥは、それが１Ｘ上にある間、第２のキャリアを監視することが不可能である。たとえば、１Ｘページ（pages）を検査するとき、ＵＥは、１Ｘネットワーク上でページをリッスンするためにＬＴＥネットワークから離調し、次いで、ＬＴＥネットワークに戻ることになる。
【００４９】
Ｒｅｌ．１０は、ＣＡをサポートするためのＵＥの能力の変化に関してＵＥがｅノードＢと通信するための手段を提供しない。また、今のところ、ＵＥが第２のセルをドロップ／非アクティブ化していることをＵＥがｅノードＢに通知するための「標準的」方法はない。したがって、この特定の使用事例に対処する際にいくつかの問題が発生する。第１に、アクティブ化された２つのキャリアをもつＵＥが１Ｘ上でページを受信することを可能にするための機構が与えられる必要がある。第２に、アクティブ化された２つのキャリアをもつＵＥが、受信チェーンが１Ｘに割り振られ得るように１つのキャリアをドロップするかあるいはＭＩＭＯ動作を無効にするための機構が与えられる必要がある。第３に、キャリアアグリゲーションのための能力を指定しており、現在１Ｘ上にあるＵＥが、ネットワークが２次セルをアクティブ化するのを防止するための機構が与えられる必要がある。第４に、ＵＥが１Ｘ呼の後に（２次キャリアが非アクティブ化された場合）２次キャリアを再アクティブ化するための機構が与えられる必要がある。
【００５０】
ＵＥのＣＡ能力は、初期接続中に行われるＵＥ能力転送中にネゴシエートされる。ＵＥがＲＲＣ接続を確立するたびに、すなわち、ＵＥがＬＴＥアイドル状態から接続状態に移行するたびに、またはＵＥがＲＲＣ接続状態である間に行われ得るＲＲＣによって、（１つまたは複数の）２次セルが構成される。ただし、ＭＡＣアクティブ化制御要素が受信され、（１つまたは複数の）キャリアをアクティブ化するまで、（１つまたは複数の）２次キャリアは非アクティブ化されたままである。ＭＡＣアクティブ化制御要素が時間ｎにおいて受信された合、ＵＥは、時間ｎ＋８において開始して２次セル上でＰＤＣＣＨおよびＰＤＳＣＨを復号することになる。しかしながら、問題は、ＵＥがＣＡおよび帯域合成のサポートを広告した後、ならびに（１つまたは複数の）２次キャリアがアクティブ化されたとき、ＵＥがキャリアのうちの１つをドロップ／非アクティブ化するための規格準拠した方法が今のところないことである。
【００５１】
本開示の様々な態様は、以下の２つのカテゴリー、すなわち、（１）規格ベースの手法−ＵＥが上記の使用事例に対処することを可能にし得る、規格（Ｒｅｌ．１０または１１）の変更を提案することと、（２）非規格ベースの手法−第２のキャリアをドロップしたとき、ユーザエクスペリエンスに対する影響を最小限に抑えるためにＵＥが何を行うことができるか、に分割され得る。
【００５２】
規格ベースの手法では、一態様は、ＵＥがそれのＲＦ処理チェーンのうちの１つまたは複数を再プロビジョニングすることを望むとき、ＵＥが基地局にシグナリングすることを実現する。たとえば、複数のアクティブセルとのＣＡ能力をもつＵＥは、ボイス呼を受信するために、１Ｘネットワークなどの他のネットワークに切り替わることを望み得る。そのような状況において、ＵＥは、１ＸネットワークにＲＦ処理チェーンを割り振るために、２次セルのうちの１つまたは複数を非アクティブ化することを基地局にシグナリングし得る。
【００５３】
図７は、本開示の一態様に従って構成されたＵＥ７０を示すコールフロー図である。ポイント７００において、ｅノードＢ７１が、ＵＥ７０にＵＥ能力の問い合わせを送信する。ポイント７０１において、ＵＥ７０は、それのＣＡ能力情報をｅノードＢ７１に送る。このＣＡ能力情報に基づいて、ｅノードＢ７１は、７０２において、ＵＥ７０に割り当てられることになる２次セルを構成することをＵＥ７０にシグナリングするＲＲＣ接続再構成をＵＥ７０に送る。ＵＥ７０は、ポイント７０３において、次いで、ｅノードＢ７１にＲＲＣ再構成完了メッセージを送る。ＵＥ７０は、２次セルのうちのいずれか１つまたは複数がアクティブ化のために好適になるまで、測定イベントを監視し、ｅノードＢ７１に送る。ｅノードＢ７１は、ポイント７０４において、２次セルのうちの１つまたは複数をアクティブ化する。
【００５４】
ポイント７０５において、ＵＥ７０は、それがそれのＲＦ処理チェーンのうちの１つまたは複数を再プロビジョニングすることを望むと決定し、ｅノードＢ７１に非アクティブ化要求を送る。たとえば、ＵＥ７０は、ページを監視するかまたは呼を生成／受信するために、１Ｘネットワークなどの他のネットワークに切り替わることを望み得る。ＵＥ７０はまた、それに割り当てられていた帯域幅を再割り振りすること、または場合によってはそれがポイント７０１においてｅノードＢ７１に与えた能力情報を変更することを望み得る。非アクティブ化要求を受信したことに応答して、ｅノードＢ７１は、ポイント７０６において、ＵＥ７０に非アクティブ化信号を送信する。
【００５５】
このＵＥ主導型手法を実装するための一態様は、ＵＥが、構成され場合によってはアクティブ化された２次セルのうちの１つまたは複数を非アクティブ化／再アクティブ化することをｅノードＢに要求するための新しいＭＡＣ制御要素を追加することである。これのサポートは、ｅノードＢに対して随意である。ＵＥは、キャリアのうちの１つが非アクティブ化されるべきであることをｅノードＢに通信するためにこの新しいＭＡＣ制御要素を使用し得る。キャリアの非アクティブ化は依然としてｅノードＢの制御下にあり、キャリアは、したがって、非アクティブ化ＭＡＣ制御ＩＥを送ることによって非アクティブ化されることになる。
【００５６】
新しい「アクティブ化／非アクティブ化要求」ＭＡＣ制御要素は、以下の表１に示す論理チャネル識別子（ＬＣＩＤ：logical channel identifier）によって指定される。アクティブ化／非アクティブ化要求ＭＡＣ制御要素は、固定サイズを有し、７つのＣフィールドと１つのＲフィールドとを含んでいる単一オクテットからなり得る。アクティブ化／非アクティブ化要求ＭＡＣ制御要素は以下のように定義される。
【００５７】
Ｃi：  ＳＣｅｌｌＩｎｄｅｘ  ｉでアクティブ化された２次セルがあり、対応するビットが０に設定された場合、このフィールドは、ＵＥが、ＳＣｅｌｌＩｎｄｅｘ  ｉをもつＳＣｅｌｌの非アクティブ化を要求していることを示す。そうではなく、構成された２次セルが非アクティブ化され、対応するフィールドが１に設定された場合、ＵＥはＳＣｅｌｌのアクティブ化を要求している。
【表１】
2015512184.tif 000003
【００５８】
図８Ａは、本開示の一態様を実装するために実行される例示的なブロックを示す機能ブロック図である。ブロック８００において、ＵＥが、ＲＦ処理チェーンのうちの１つまたは複数を再プロビジョニングすると決定する。ＵＥは他のネットワークにアクセスするか、帯域幅を再割り振りするか、または場合によっては基地局とのＵＥのＣＡ能力を更新することを希望するので、これは起こり得る。ブロック８０１において、ＵＥはアクティブ化メッセージを生成し、アクティブ化メッセージは、ＵＥのために構成された２次セルのうちの１つまたは複数に関するアクティブ化要求情報を含む。アクティブ化要求情報は、１つまたは複数の２次セルをアクティブまたは非アクティブ化することを基地局に要求し得る。ＵＥは、次いでブロック８０２において、アクティブ化メッセージをサービング基地局に送信する。
【００５９】
図８Ｂは、基地局の観点から本開示の一態様を実装するために実行される例示的なブロックを示す機能ブロック図である。ブロック８０３において、基地局が、ＵＥからアクティブ化メッセージを受信する。基地局は、次いでブロック８０４において、アクティブ化メッセージ中のアクティブ化要求情報に従って２次セルの状態を変更する。したがって、基地局は、ＵＥによってどのアクションが要求されたかに応じて２次セルをアクティブ化するかまたは非アクティブ化し得る。
【００６０】
追加の規格ベースの手法では、本開示の一態様は、ネットワークが、ネットワーク中の知識に基づいて、アクティブ化された２次セルのうちの１つまたは複数を非アクティブ化／再アクティブ化することを実現する。このソリューションを実装するための一態様では、ＵＥは、基地局へのそれのＵＥ能力情報メッセージ中に追加の情報を与える。たとえば、ＵＥは、ＵＥが異なるアクセス技術の中でサポートすることができるキャリアの総数、および／または（１つまたは複数の）いくつかのキャリア上で動作することに関連する何らかのハードウェアが異なるアクセス技術の間で共有されるということを含む、ＵＥのハードウェア制限を宣言し得る。
【００６１】
このハードウェア制限情報へのアクセスを有することによって、ネットワークは、（１）共有ハードウェアを用いた動作を必要とする他のアクセスネットワーク中のサービスがアクティブ化されているか、または（２）ネットワーク中のデータフローが他のアクセスネットワークに転送されるという知識に基づいて、１つまたは複数のキャリアの非アクティブ化をトリガし得る。ネットワークはまた、（１）共有ハードウェアを用いた動作を必要とする他のアクセスネットワーク中のサービスが非アクティブ化されているか、（２）共有ハードウェアを用いた動作を必要とする他のネットワーク中のデータフローがネットワークに転送されるという知識に基づいて、１つまたは複数のキャリアの（再）アクティブ化をトリガし得る。
【００６２】
このネットワーク制御手法を実装する本開示の様々な態様は、ネットワークが他のアクセスネットワークに関する上記の知識を取得することができるように、当該ネットワークと他のネットワークとの間のネットワークバックホール対話を使用し得る。
【００６３】
図９は、それぞれ本開示の一態様に従って構成された、ＵＥ７０と、ＬＴＥネットワーク９０と、１Ｘネットワーク９１との間の例示的なコールフローを示すコールフロー図。ポイント９００において、ＬＴＥネットワーク９０は、ＵＥ７０にＵＥ能力の問い合わせを送る。ＵＥ７０は、ポイント９０１において、応答して、拡張されたＣＡ能力メッセージを送る。拡張されたＣＡ能力メッセージは、ＵＥ７０のＣＡ能力に関する情報を含むだけでなく、ＵＥ７０に対する任意のハードウェア制限に関する情報をも含む。たとえば、このハードウェア制限としては、それが異なるアクセス技術の中でサポートすることができるキャリアの総数、および／または（１つまたは複数の）いくつかのキャリア上で動作することに関連する何らかのハードウェアが異なるアクセス技術の間で共有されるということがあり得る。
【００６４】
ポイント９０２において、ＬＴＥネットワーク９０は、２次セルを構成するＲＲＣ接続再構成メッセージを送る。ＵＥ７０は、ポイント９０３において、ＬＴＥネットワーク９０にＲＲＣ接続再構成完了メッセージを送る。ＵＥ７０は、ＬＴＥネットワーク９０からＲＲＣ接続再構成メッセージを受信した後に、２次セルの下位レイヤ構成を開始する。構成された２次セルが、アクティブ化されるべき品質に達したとＬＴＥネットワーク９０が決定したとき、ＬＴＥネットワーク９０は、ポイント９０４において、２次セルをアクティブ化する。
【００６５】
ポイント９０５において、ＵＥ７０と１ｘネットワーク９１との間でサービスアクティブ化が行われる。１Ｘネットワーク９１はまた、ポイント９０６において、１Ｘネットワーク９１とＵＥ７０との間のそのようなサービスがアクティブであるという指示子をＬＴＥネットワーク９０に送る。ＵＥ７０がＬＴＥネットワーク９０に送ったハードウェア制限に基づいて、ＬＴＥネットワーク９０は、ＵＥ７０が、２次セルと、１Ｘネットワーク９１を用いたサービスを同時に維持することができないということを知る。したがって、ポイント９０７において、ＬＴＥネットワーク９０は２次セルを非アクティブ化する。
【００６６】
図１０は、本開示の一態様を実装するために実行される例示的なブロックを示す機能ブロック図である。ブロック１０００において、ＵＥが拡張されたＣＡ能力報告を生成し、拡張されたＣＡ能力報告は、ＵＥのＣＡ能力と、ＵＥのハードウェア制限とを含む。ＵＥは、次いでブロック１００１において、拡張されたＣＡ能力報告をサービング基地局に送信する。
【００６７】
図１１は、本開示の一態様を実装するために実行される例示的なブロックを示す機能ブロック図である。ブロック１１００において、基地局がＵＥから拡張されたＣＡ能力報告を受信し、拡張されたＣＡ能力報告は、ＵＥのＣＡ能力と、ＵＥの１つまたは複数のハードウェア制限とを含む。基地局は、ブロック１１０１において、拡張されたＣＡ報告中でＵＥによって報告されたＣＡ能力に少なくとも部分的に基づいて、ＵＥのために１つまたは複数の２次セルを構成する。ブロック１１０２において、第２のアクセスネットワークから指示子を基地局において受信し、指示子は、第２のアクセスネットワークとＵＥとの間のサービス開始を示す。基地局は、ブロック１１０３において、第２のアクセスネットワークとＵＥとの間のサービスの指示子に基づいて１つまたは複数のハードウェア制限のトリガリングを検出する。ブロック１１０４において、基地局は、検出されたトリガリングに応答して、１つまたは複数の２次セルを非アクティブ化する。
【００６８】
また、ＵＥによる２次キャリアの管理は、現在の規格への変更なしに行われ得る。この場合、ＵＥは、ｅノードＢにこれを明示的にシグナリングすることなしに（１つまたは複数の）２次セル上でＭＩＭＯをドロップするかあるいは非アクティブ化し得る。ただし、ＵＥは、（１つまたは複数の）第２のキャリアの損失がよりグレースフルに実行されるように、この情報を暗黙的に伝達することが可能であり得る。
【００６９】
概して、ＵＥがそれのＲＦ処理チェーンのうちの１つまたは複数を再利用し、したがって、それのアクティブ化された２次セルを管理またはドロップすることを望むとＵＥが決定したとき、ＵＥは、被制御測定値報告を基地局に与え始める。たとえば、チャネル品質インジケータ（ＣＱＩ）、ランクインジケータ（ＲＩ）、プリコーディング行列インジケータ（ＰＭＩ）などを正確に報告する代わりに、ＵＥは、２次セルを緩やかに低減することを基地局に行わせるように指示される固有情報とともに被制御測定値報告を基地局に送り始める。このフォールスまたは被制御情報は、基地局によって受信されると、（１つまたは複数の）２次セルの品質がいずれもＭＩＭＯをサポートすることができないと基地局に信じさせ、その場合、基地局は、２次セル上でＭＩＭＯ機能を非アクティブ化するか、または送信のために好適でないように２次セルを完全に非アクティブ化する。
【００７０】
図１２は、本開示の一態様を実装するために実行される例示的なブロックを示す機能ブロック図である。ブロック１２００において、ＵＥが、ＵＥの複数のＲＦリソースのうちの１つまたは複数を再構成すると決定し、複数のＲＦリソースのうちの１つまたは複数に関連する１つまたは複数の２次セルがアクティブ化される。ブロック１２０１において、ＵＥは、基地局に１つまたは複数の被制御値測定値を送信し、１つまたは複数の被制御値測定値は、ＵＥのために構成された１つまたは複数の２次セルを変更するように基地局をトリガするＵＥによって選択された所定の値を含む。
【００７１】
本開示の一態様では、ＵＥは、ＣＱＩをランプダウンし始める（またはＣＱＩ＝０を報告し始める）。これは、ＤＬ上で送られるＤＬ  ＨＡＲＱに対するＡＣＫ／ＮＡＣＫ報告をＵＥが控えることに加えて、影響を受けた（１つまたは複数の）キャリア上でスケジュールするのをｅノードＢに止めさせ、最終的にそれらを非アクティブ化するはずである。
【００７２】
理想的には、ＵＥは、２次セルが十分高速に非アクティブ化するように、たとえば、１Ｘ呼を生成するかまたはページングを監視することによって、ＵＥのＲＦ処理チェーンを再利用したいというそれの要望に十分先立ってＣＱＩランプダウンを開始し得る。ここでの主な課題は、ネットワークが２次セルを非アクティブ化する前にＵＥが低く（または０で）その間に報告しなければならない持続時間がネットワークの挙動に依存することである。したがって、ＵＥは、２次セルを無視し（たとえば、それのＰＤＣＣＨを監視せず）、２次セルがｅノードＢによって明示的に非アクティブ化される前に他のアクセスネットワーク受信に移行しなければならなくなり得る。
【００７３】
１Ｘページを監視するために提案される１つのソリューションは、測定ギャップと同様であるが、より長く（約３０ｍｓ）より低い頻度の（ページングサイクルは一般に約２ｓである）ページ監視ギャップを採用することである。ただし、この実装形態は、ＬＴＥネットワークおよびキャリアとネゴシエートされる必要がある。
【００７４】
本開示の他の態様では、（１つまたは複数の）第２のセルを完全に無効にする代わりに、ＵＥは、第２のＲＦ処理チェーンの割振りを維持する必要性なしに、キャリアをアクティブ化されたままに保つことが可能であり得る。これは、ＵＥが「ＰＣｅｌｌ−ＭＩＭＯ＋ＳＣｅｌｌ−ＭＩＭＯ」から「ＰＣｅｌｌ−ＭＩＭＯ＋ＳＣｅｌｌ−ＭＩＳＯ＋１Ｘ」に遷移することになることを意味する。ＵＥは、この遷移を達成するためにランクインジケータ（ＲＩ）の被制御報告を与える。たとえば、ＵＥは、１のランクにおいてＲＩを報告することのみを開始し得る。
【００７５】
この手法は、ＵＥが２次セルのＰＤＣＣＨを依然として監視し得、ＲＩ＝１報告がＵＥおよびネットワークに対してかなり透明的であるという利点を有する。ただし、２次セルは通常、負荷分散および／またはピークデータレートのために構成され、その場合、ランク１にドロップダウンしているＵＥは、２次セルをまったく有しないのと同様の結果を有する。
【００７６】
２次セルをドロップさせるためにＣＱＩをランプダウンすることと、１のランクを報告することの両方のパフォーマンスは、複数のキャリア上のｅノードＢスケジューラに依存することに留意されたい。
【００７７】
本開示の追加の態様では、ＵＥが「ＰＣｅｌｌ−ＭＩＭＯ＋ＳＣｅｌｌ−ＭＩＭＯ」から「ＰＣｅｌｌ−ＭＩＭＯ＋ＳＣｅｌｌ−ＭＩＳＯ＋１ｘ」に進み、次いで「ＰＣｅｌｌ−ＭＩＭＯ＋１ｘ」に進む、より漸進的な手法が提供され得る。理想的には、この場合、ＵＥのＣＱＩランプダウン報告は、より滑らかなチャネル劣化シナリオをシミュレートし、多くのＨＡＲＱ障害なしに２次セルを非アクティブ化するのに十分な時間／理解をネットワークに与えることになる。さらに、漸進的なチャネル劣化は、「規格外」の挙動として検出することがより難しくなる。
【００７８】
本開示のさらに追加の態様では、ＵＥがＣＡ能力を報告したが、２次セルがまだアクティブ化されていないとき、ＵＥは、他のネットワークへのアクセス中に、または他のネットワーク上でページを監視している間に、それらの２次キャリアをアクティブ化することを現在のネットワークに希望しないことがあるオケージョンを見つけ得ることに留意されたい。典型的な動作では、ＵＥは、たとえば、１Ｘ呼の上にあり、ＵＥはすでにＣＡ能力をネゴシエートしている。ＵＥは、（１つまたは複数の）２次キャリアがアクティブ化されることを何とかして防がなければならない。
【００７９】
図１３は、本開示の一態様を実装するために実行される例示的なブロックを示す機能ブロック図である。ブロック１３００において、複数のＲＦリソースのうちの１つまたは複数を使用してＵＥと第１のアクセスネットワークとの間の通信を開始する。ＵＥは、ブロック１３０１において、第２のアクセスネットワーク中のＣＡに関連する１つまたは複数の２次セルの測定値を検出し、測定値は、第２のアクセスネットワークによる１つまたは複数の２次セルのアクティブ化をトリガすることになる。ブロック１３０２において、ＵＥは、第２のアクセスネットワークへの測定値のそれの報告を非アクティブ化する。
【００８０】
特定の２次セルのアクティブ化は、ＵＥによるＲＲＣイベントＡ１およびＡ４報告など、ＲＲＣイベント測定値に基づくことが予想される。設定されたしきい値を超えて２次セルが改善されたときの測定値の報告をＵＥが防ぐことが可能である限り、ｅノードＢは、２次セルをアクティブ化することが予想されない。この動作は１次セルから１次セルへのハンドオーバシナリオに影響を及ぼさないはずであるが、１次セルから２次セルへのハンドオーバが必要である展開シナリオでは、上記の機構が影響を及ぼし得る。
【００８１】
１次セルから２次セルへのハンドオーバのそのような事例では、ＵＥはまた、セルのエッジの性能が悪影響を受けないように、現在の１次セルが弱くなっている場合、２次セル測定値を実際に報告することを選択的に開始し得る。２次セルが再びアドバックされた場合、ＵＥは、その２次セルのドロップを管理するかまたは引き起こすために、それの測定値報告を制御することを再び開始することになる。
【００８２】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８３】
さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【００８４】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８５】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００８６】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から他の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００８７】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
【図１】
2015512184.tif 000004
【図２】
2015512184.tif 000005
【図３】
2015512184.tif 000006
【図４Ａ】
2015512184.tif 000007
【図４Ｂ】
2015512184.tif 000008
【図５】
2015512184.tif 000009
【図６】
2015512184.tif 000010
【図７】
2015512184.tif 000011
【図８Ａ】
2015512184.tif 000012
【図８Ｂ】
2015512184.tif 000013
【図９】
2015512184.tif 000014
【図１０】
2015512184.tif 000015
【図１１】
2015512184.tif 000016
【図１２】
2015512184.tif 000017
【図１３】
2015512184.tif 000018
【国際調査報告】
2015512184.tif 000019
2015512184.tif 000020
2015512184.tif 000021
2015512184.tif 000022
2015512184.tif 000023
2015512184.tif 000024